(57)【要約】  【課題】断熱箱体と共に仕切りの中空部まで断熱材を充填する際に発生する断熱材の発泡圧力からダクトを保護しうる冷蔵庫の提供。  【解決手段】外箱２０２と内箱２０３とを備える断熱箱体２０１と、内箱２０３に取付けられ、断熱箱体２０１の庫内を仕切る仕切り２１８、２２２と、外箱２０２と内箱２０３との間、及び、仕切り２１８、２２２の内部とに一体に充填される断熱材とを備える冷蔵庫であって、仕切り２１８、２２２を内箱２０３に取付ける際に仕切り２１８の奥端に取り付けられ、内箱２０３の幅よりも狭い幅の部分と、前記仕切りに隣接する仕切りにまで到達する長さとを有する冷気送風用のダクト２１６とを備える。【選択図】図３
2008075890.tif 000002
【特許請求の範囲】
【請求項１】
外壁を構成する断熱箱体と、前記断熱箱体に取付けられ、前記断熱箱体の庫内を仕切る仕切りと、前記断熱箱体の内部、及び、前記仕切りの内部に一体に充填される断熱材とを備える冷蔵庫であって、前記仕切りの奥端に取り付け可能となされ、前記断熱箱体の内法の幅よりも狭い幅の部分と、前記仕切りに隣接する仕切りにまで到達する長さとを有する冷気送風用のダクトを備えることを特徴とする冷蔵庫。
【請求項２】
前記ダクトは、当該ダクト内部に奥行き方向に渡される梁を備える請求項１に記載の冷蔵庫。
【請求項３】
前記断熱箱体は、内箱と外箱とを備え、前記内箱は、前記ダクトの背面と対向する位置に膨出部を備える請求項１または請求項２に記載の冷蔵庫。
【請求項４】
前記膨出部は、前記梁が渡される方向の延長上に位置する請求項３に記載の冷蔵庫。
【請求項５】
前記ダクトの後方に配置される補強部材を備える請求項１から４のいずれか一項に記載の冷蔵庫。
【請求項６】
前記ダクトは、前ダクト部材と後ダクト部材とを前後方向に組み合わせてなる請求項１から５のいずれか一項に記載の冷蔵庫。
【請求項７】
さらに、前記ダクト内部に配置され、当該ダクト内部の冷気の送風量を調整するダンパーを備え、前記ダンパーは、前記ダクト上方または下方から着脱可能となされる請求項１から６のいずれか一項に記載の冷蔵庫。
【発明の詳細な説明】
【技術分野】
【０００１】
本発明は、冷蔵庫、特に、断熱箱体と一体に断熱材が充填される仕切りを備える冷蔵庫の冷気の風路（ダクト）の構造などに関する。
【背景技術】
【０００２】
近年、冷蔵庫は地球環境保護の観点から更なる省エネルギー化が進むと共に、その使い勝手や収納性の向上が求められている。
【０００３】
従来この種の冷蔵庫は、最も大きな外側の断熱箱体の庫内に断熱性を備えた仕切板を挿入して複数の部屋が形成される構造が採用されている。そして、複数の部屋はそれぞれの目的に応じて異なる温度を実現できるように相互に断熱されている。具体的には、断熱箱体は、金属製の外箱と樹脂製の内箱の二重構造とし、これら外箱と内箱との間に断熱材であるポリウレタン等の断熱材を発泡充填して形成されている。また、断熱箱体の庫内を複数の温度帯で仕切って保存する各食品に適した温度の貯蔵室とするため、断熱性の仕切りを庫内に設けている（例えば、特許文献１参照）。
【０００４】
また、断熱箱体最上部の貯蔵室の上壁後部を下がるように窪ませて冷却ユニットの高圧機器収納凹所を設けることにより、最上部の貯蔵室上奥部の使用性の向上と最下部の貯蔵室の収納容積アップを図っているものもある（例えば、特許文献２参照）。
【０００５】
図８は、特許文献１に記載された従来の冷蔵庫の縦断面図である。
【０００６】
同図に示すように、断熱箱体１は、上から順に、冷蔵室２、冷凍温度帯から冷蔵、野菜、チルド等の温度帯に切り替え可能な切替室３と、切替室３に並列に設けられた貯氷室４、野菜室５、冷凍室６に区画されている。さらに、冷気を生成する冷却器７と、冷気を各貯蔵室に供給するファン８とを収納する冷却室９を断熱箱体１の下側奥部に備えている。
【０００７】
各貯蔵室の区画は、次のようにしてなされている。すなわち、冷蔵室２と切替室３および貯氷室４とは、第一の仕切部１０で上下方向に仕切られている。第一の仕切部１０の下側後方は、各貯蔵室と冷却室９とを奥行き方向に仕切る第二の仕切部１１で仕切られている。この第二の仕切部１１は、各貯蔵室を冷却するための冷気用送風路と帰還風路を備えている。第三の仕切部１２は切替室３および貯氷室４と野菜室５とを上下方向に仕切っている。この第三の仕切部１２は、さらに、切替室３と貯氷室４とを左右方向に区画する仕切りが取り付けられているため、第三の仕切部１２は正面視逆Ｔ字型となっている。野菜室５と冷凍室６とは第四の仕切部１３でしきられている。また、冷蔵室２の背面には冷蔵室２を冷却するための冷気用送風路と帰還風路で構成された第五の仕切部１４が設けられている。
【０００８】
次に、各仕切部の取付構造について説明する。
【０００９】
第一の仕切部１０は、内箱１５と一体成形され成型時の熱で成形断熱材１６を内箱１５と接着することで冷気や水漏れが無いよう取り付けられている。
【００１０】
第二の仕切部１１は冷却室９と区画するために外周にシール材が設けられ、さらに第一の仕切部１０後方部に配設された冷蔵室２を冷却するための冷気用送風路と帰還風路を接合するためのシール材が第一の仕切部１０との接合面に設けられている。
【００１１】
第三の仕切部１２、第四の仕切部１３は共に冷気、水漏れが無いようにそれぞれ外周にシール材が設けられている。また第五の仕切部１４には、第一の仕切部１０後方部に配設された冷蔵室２を冷却するための冷気用送風路を接合するためのシール材が設けられている。第二の仕切部１１、第三仕切部１２、第四の仕切部１３、第五の仕切部１４は断熱箱体１がポリウレタン等の断熱材で充填発泡された後、取り付けられる。
【００１２】
これにより、冷蔵庫内を各食品の温度に適した複数の貯蔵室に区画し使い勝手や収納性を向上させながら、部品点数を削減し組立作業性を向上させることができるものである。
【特許文献１】特開平１１−３２５６９１号公報
【特許文献２】特開２００１−９９５５２号公報
【発明の開示】
【発明が解決しようとする課題】
【００１３】
しかしながら、上記従来の構成では、野菜室５と冷凍室６を仕切る第四の仕切部１３は、断熱箱体１をポリウレタン等の断熱材で充填発泡された後に取り付けられるため、冷気や水漏れを防止するために第四の仕切部１３の外周にシール材が設けられている。このため相当のシール材が必要となり、さらには温度差の大きい貯蔵室間を仕切るため製造上のばらつきを考慮するとシール材の幅長さも大きくなりコストアップとなる。
【００１４】
また、第四の仕切部１３はポリウレタンより熱伝導率が高いポリスチレン等の成形断熱材で構成されているために、冷凍室６の影響により野菜室５内の表面に結露することがある。また、冷凍室６の影響により野菜室５内の温度が設定温度以下となってしまうため、やむなく温度補償用ヒータを野菜室５内に配設し、当該ヒータで野菜室５を加温して設定温度に維持する必要が生じ、ヒータを設置するためのコストアップのみならずヒータで加熱するための消費電力量も増加する。
【００１５】
第三仕切部１２、第五の仕切部１４も温度差の大きい貯蔵室間を仕切る仕切部であるため第四の仕切部１３と同様のことが言える。
【００１６】
また、第一の仕切部１０後方部に配設された冷蔵室２を冷却するための冷気用送風路のように仕切部を介して冷気用送風路を構成する場合には、第一の仕切部１０後方部の下面は第二の仕切部１１と接合され、第一の仕切部１０後方部の上面は第五の仕切部１４と接合されるために、第一の仕切部１０後方部の上面と下面の両方に冷蔵室２用の冷気も漏れを防ぐシール材が必要となりコストアップしてしまう。
【００１７】
また、収納性の向上という面においては、図示はされていないが、冷蔵庫の設置スペースが限られた中で如何に庫内容積を拡大させ容積効率を高めるかが重要であり、近年、熱伝導率がポリウレタンの約１／１０のである断熱性能の高い真空断熱材を断熱箱体１の側面や底面に配設し、断熱性能を維持したまま壁の厚みを削減することにより庫内容積を拡大させるものもある。
【００１８】
また、図示はされていないが、手が届きにくい等により使い勝手の悪い断熱箱体１最上部の貯蔵室の上壁後部が下がるように窪ませて冷却ユニットの高圧機器収納凹所を設けることにより、使い勝手の良い最下部の貯蔵室の収納容積アップを図り、使い勝手を向上させたものもある。
【００１９】
このような冷蔵庫は、断熱箱体１の壁の厚みが薄いことや、比較的重量のある冷却ユニットの高圧機器が断熱箱体最上部にあることにより、食品が収納された状態で断熱箱体１が歪まないように箱体強度が必要となる。そのためには補強板等により箱体強度を確保する必要があるが、鉄などによる補強板ではコストアップのみならず熱伝導性の良い鉄の影響により消費電力量の増加を招いてしまう。
【００２０】
以上のように、温度差の大きい貯蔵室間を仕切る仕切部を断熱箱体形成後に挿入して取り付けるためには断熱箱体などと仕切部との間に多量に存在する接合面をシール材でシールする必要があるため必要なシール材が増加してしまい、しかも冷気漏れ等の品質面をクリアするため、良質のシール材を必要とし、コスト面での課題を有するものであった。
【００２１】
また、断熱箱体の梁となって構造的強度向上に寄与するはずの仕切部がシール材により接着されているだけであり、十分な強度を確保することができない。
【００２２】
各貯蔵室の所定の温度を補償し、貯蔵室内の結露や凍結を防止するための温度補償用ヒータが必要となりコストアップのみならず、消費電力量の増加となる。
【００２３】
そこで、上記従来の課題を解決するものとして、断熱材を充填する前の断熱箱体に中空の仕切部を配置した後、断熱箱体と共に仕切部の中空部まで断熱材を充填することで、多量のシール材を用いることなく仕切部における断熱性能を向上させると共に、強度向上も可能とする冷蔵庫に関する発明を別途出願している。
【００２４】
ところが、上述のように断熱箱体と共に仕切部の中空部まで断熱材を充填すると、充填時に発生する圧力により仕切部の背部に存在するダクトが周囲から圧迫され変形するなどの問題が発生している。
【００２５】
本発明は、上記課題を解決するもので、断熱箱体と共に仕切りの中空部まで断熱材を充填する際に発生する断熱材の発泡圧力からダクトを保護しうる冷蔵庫を提供することを目的とする。
【課題を解決するための手段】
【００２６】
上記従来の課題を解決するために、本発明の冷蔵庫は、外壁を構成する断熱箱体と、前記断熱箱体に取付けられ、前記断熱箱体の庫内を仕切る仕切りと、前記断熱箱体の内部、及び、前記仕切りの内部に一体に充填される断熱材とを備える冷蔵庫であって、前記仕切りの奥端に取り付け可能となされ、前記断熱箱体の内法の幅よりも狭い幅の部分と、前記仕切りに隣接する仕切りにまで到達する長さとを有する冷気送風用のダクトとを備えることを特徴とする。
【００２７】
これにより、断熱箱体の外部で仕切りとダクトを取り付けることができるため、ダクトと仕切りとの位置関係を目視により確認しながら容易に決定することが可能となる。さらに、仕切りとダクトとを一体化した状態で断熱箱体内に配置できるため、仕切りが基準となって断熱箱体とダクトとの位置関係も容易に決定することが可能となる。
【００２８】
また、ダクトは、内箱の幅（内法）よりも幅の狭い部分（外法）を有する構造であるため、断熱材を発泡充填する際に、ダクトの存在する側から内箱を治具により支える部分を創出することができる。従って、内箱を介してダクトにかかる発泡圧力を治具で受け止めて軽減することが可能となる。
【００２９】
さらに、ダクトは、隣接する仕切りを渡すことができる長さを備えているため、内箱からの発泡圧力を二つの仕切りによって支えることが可能となる。
【発明の効果】
【００３０】
本発明によれば、断熱箱体と共に、仕切りの内部にまで断熱材を発泡充填する冷蔵庫であっても、当該発泡充填の際に発生する発泡圧力から有効にダクトを保護し、ダクトの変形や破損を抑止することが可能となる。
【発明を実施するための最良の形態】
【００３１】
請求項１に記載の発明は、外壁を構成する断熱箱体と、前記断熱箱体に取付けられ、前記断熱箱体の庫内を仕切る仕切りと、前記断熱箱体の内部、及び、前記仕切りの内部に一体に充填される断熱材とを備える冷蔵庫であって、前記仕切りの奥端に取り付け可能となされ、前記断熱箱体の内法の幅よりも狭い幅の部分と、前記仕切りに隣接する仕切りにまで到達する長さとを有する冷気送風用のダクトを備えることを特徴とする冷蔵庫である。従って、仕切りを内箱に取り付けた後にウレタン発泡を行うことによりダクトと仕切りの接合面に必要なシール材が不要となりコストを低減することができる。またシール材による接合箇所が無くなることにより当該仕切りにより区画される各貯蔵室同士への冷気漏れがなくなり各貯蔵室の温度（品質）の安定化を図ることができる。また、貯蔵室間を仕切る仕切り内部と、断熱箱体内部とを断熱性能の高いポリウレタンを断熱材として一体に充填したことにより、冷蔵庫全体の構造的強度を強くすることができる。温度差の大きい貯蔵室間を断熱性能を高めた仕切りで仕切ることができ、各貯蔵室の所定の温度を補償し、貯蔵室内の結露や凍結を防止するための温度補償用ヒータが不必要となりコストアップのみならず、消費電力量の低減効果を得ることができる。
【００３２】
また、ダクトに隠されない内箱を発泡治具で押さえることでダクトが発泡圧力で変形し貯蔵室側に膨らむのを防止することができる。
【００３３】
請求項２に記載の発明は、請求項１に記載の発明において、ダクト内に梁構造を設けたものである。
【００３４】
これにより、断熱材（ウレタン）充填時の発泡圧力によるダクトの変形、つぶれを抑えることができる。また、梁の本数により風路を細分化することができ、風路のそれぞれに温度差のついた冷気を通風させることで、必要な部分に効率よく冷気を配分することができる。
【００３５】
請求項３に記載の発明は、請求項１または２に記載の発明において、ダクトの背面に位置する断熱箱体の内箱に膨出部を設けたものである。これにより、断熱材の発泡圧力による内箱の変形を防止しダクトに変形、つぶれの影響が伝わらないようにすることができ、安定した風量の確保ができる。
【００３６】
請求項４に記載の発明は、請求項３に記載の発明において、ダクト内に設けた梁の位置と内箱に設けた凸形状の膨出部の位置が一致する構成としたものである。これによって、内箱の膨出部にかかる断熱材の発泡圧力がダクト内の梁によって抑えることができる。また、内箱の膨出部以外の凹陥部分はダクトと距離が確保されるため、つまり、ダクトと直接接触していないため断熱材の発泡圧力により変形が発生してもダクトに変形等の影響を及ぼすことがない。
【００３７】
請求項５に記載の発明は、請求項１から４のいずれか一項に記載の発明において、ダクトの背面に補強部材を設けたものである。これにより、ダクト及び、断熱箱体の内箱の変形、つぶれを防止することができ、安定した風量の確保ができる。
【００３８】
請求項６に記載の発明は、請求項１から５のいずれか一項に記載の発明において、ダクトを前後に分割した発泡樹脂等の部材で構成したものである。これにより、複雑な風路構成や梁構成を備えるダクトであっても容易に製造可能になり、貯蔵室内の温度分布を均一にするために寄与するダクトを提供できる。さらに、発泡樹脂で構成すれば断熱性が向上し低温の冷気を貯蔵室に送ることができる。
【００３９】
請求項７に記載の発明は、請求項１から６のいずれか一項に記載の発明において、さらに、前記ダクト内部に配置され、当該ダクト内部の冷気の送風量を調整するダンパーを備え、前記ダンパーは、前記ダクト上方または下方から着脱可能となされるものであり、ダンパーの交換を容易にすることができ、サービス性を向上することができる。
【００４０】
以下、本発明の実施の形態について、図面を参照しながら説明する。なお、この実施の形態のみによってこの発明が限定されるものではない。
【００４１】
（実施の形態１）
図１は、本発明の実施の形態１における冷蔵庫の縦断面図を示すものである。
【００４２】
同図に示すように、冷蔵庫２００は断熱箱体２０１と断熱箱体２０１の開口部を覆う扉３００とを備えている。
【００４３】
断熱箱体２０１は、外箱２０２と内箱２０３とで構成され、外箱２０２と内箱２０３との間に例えば硬質発泡ウレタンなどの断熱材が充填され周囲と庫内とを断熱する略直方体形状の箱体である。また、断熱箱体２０１の庫内は、後述する仕切により複数の貯蔵室に区分されている。また、断熱箱体２０１は、その最も面積の広い一面が開口しており、当該開口部は、ヒンジを介して取り付けられるドアや引き出しの前面により開閉自在に封止できるものとなされている。
【００４４】
断熱箱体２０１庫内の最上部には、第一の貯蔵室としての冷蔵室２０４が配置され、その冷蔵室２０４の下部に第四の貯蔵室としての切替室２０５と製氷室２０６とが横並びに設けられている。また、その切替室２０５と製氷室２０６の下部に第二の貯蔵室としての野菜室２０７が配置され、そして断熱箱体２０１内部の最下部に第三の貯蔵室としての冷凍室２０８が配置される。本実施の形態に係る冷蔵庫は、以上の構成となっている。
【００４５】
冷蔵室２０４は、物品を凍らせること無く冷蔵保存するための貯蔵室である。従って、冷蔵室２０４の温度は、物品が凍らない温度範囲の下限である１℃〜５℃の範囲で維持される。
【００４６】
野菜室２０７は、冷蔵室２０４と同等もしくは若干高い温度である２℃〜７℃の範囲で維持されることが多い。なお、低温にするほど葉野菜の鮮度を長期間維持することが可能である。
【００４７】
冷凍室２０８は、冷凍温度帯に維持されており、具体的には、−２２℃〜−１８℃で維持される。また、冷凍保存状態の向上のために、例えば−３０℃や−２５℃の低温で維持されることもある。
【００４８】
切替室２０５は、冷蔵温度帯から冷凍温度帯の間で予め設定された温度帯に切り換えることができる貯蔵室である。例えば、１℃〜５℃で設定されれば冷蔵室として機能し、２℃〜７℃で設定されれば野菜室と同様に機能し、約０℃で設定されればチルド室として機能し、約−３℃で設定されれば、肉や魚などを微凍結状態にして長期保存を行うパーシャル室として機能し、０℃以下の温度帯で設定されれば、冷凍保存用の冷凍室のように機能する。
【００４９】
製氷室２０６は、冷蔵室２０４内の貯水タンク（図示せず）から送られた水で製氷室２０６内に設けられた自動製氷機（図示せず）で氷を作り、貯蔵しておくスペースである。
【００５０】
また冷蔵室２０４は、冷蔵室２０４の室内底面と冷蔵室２０４のドア部の底面を、比較的重みのある鍋類やペットボトル飲料や牛乳パック等を女性や子供でも取り出し易いように低くしてある。
【００５１】
断熱箱体２０１の天面部は、冷蔵室２０４の背面方向に向かって階段状に凹みを設けた形状であり、この階段状の凹部に圧縮機２０９、水分除去を行うドライヤ（図示せず）等の冷凍サイクル高圧側の構成部品が収納されている。すなわち、圧縮機２０９を配設する凹部は、冷蔵室２０４内の最上部の後方領域に食い込んで形成されることになる。
【００５２】
以上の構成を採用することにより、手が届きにくくデッドスペースとなっていた断熱箱体２０１の最上部の貯蔵室の後方領域に圧縮機２０９を配置することができ、誰もが使いやすい断熱箱体２０１の最下部の貯蔵室容量を大きくすることができる。
【００５３】
なお、従来一般的であった断熱箱体２０１の最下部の貯蔵室の後方領域に圧縮機２０９を配置してもよい。
【００５４】
冷却室２１０は、野菜室２０７と冷凍室２０８との背面に設けられている。この冷却室２１０は、断熱性能を有する第一の仕切り２１１により野菜室２０７と冷凍室２０８から仕切られている。
【００５５】
冷却室２１０内には、代表的なものとしてフィンアンドチューブ式の冷却器（図示せず）が配設されており、冷却器の上部空間には強制対流方式により冷却器で冷却した冷気を冷蔵室２０４、切替室２０５、製氷室２０６、野菜室２０７、冷凍室２０８に送風する冷却ファン（図示せず）が配置され、冷却器の下部空間には冷却時に冷却器や冷却ファンに付着する霜を除霜する装置としてのガラス管製のラジアントヒータ（図示せず）が設けられている。
【００５６】
冷却室２１０から送風される冷気は、後述の風路２１５、２１６、２１５ａを経由して各貯蔵室に供給される。また、各貯蔵室の温度は、ダンパー２２１による冷気の供給量により調整される。
【００５７】
第一の仕切り２１１は、冷却室２１０と冷凍室２０８および野菜室２０７とを仕切る仕切りである。また、第１の仕切り２１１は、その内部に第一の風路２１５を備えている。この第一の風路２１５は、冷凍室２０８と冷蔵室２０４、切替室２０５、製氷室２０６、野菜室２０７に冷気を送風するための風路である。
【００５８】
この第１の仕切り２１１は、内箱２０３の内部奥壁に取り付けられるユニットであり、冷却室２１０から冷凍室２０８や野菜室２０７に冷気や水が漏れ出さないように内箱２０３等と第１の仕切り２１１の接合部分はシール材により気密性、断熱性を確保しつつ貼り付けられている。
【００５９】
また、第一の仕切り２１１の上面は、冷蔵室２０４、切替室２０５、製氷室２０６、野菜室２０７を冷却するための冷気が送風される第二の風路２１６と接合されるため、当該接合面もシール材により貼り付けられている。
【００６０】
第二の仕切り２１７は、冷凍室２０８と野菜室２０７とを仕切りであり、ポリスチレン等の断熱材で構成されている。この第二の仕切り２１７は、断熱材充填後の内箱２０３に挿入配置して取り付けられるものであり、内箱２０３や第一の仕切り２１１との接合面はシール材により接合されている。
【００６１】
なお、第一の仕切り２１１や第二の仕切り２１７は、これらを接合しているシール材が引き離す方向に力を加えることで乖離するものであるため、取り外し可能である。
【００６２】
図２は、本発明の実施の形態１における第三の仕切りと第四の仕切りと第二の風路部付近の縦断面図である。
【００６３】
本発明に関連する仕切りとしての第三の仕切り２１８は、切替室２０５、製氷室２０６と野菜室２０７とを上下に仕切る仕切りであり、第三の仕切り２１８の奥端部には、上方に立ち上がったフランジ２２６を有している。さらに、第三の仕切り２１８は、上面板２１９と下面板２２０とを備えている。当該上面板２１９と下面板２２０との間、つまり第三の仕切り２１８の内部は、断熱箱体２０１の外箱２０２と内箱２０３との間と一体となって硬質発泡ウレタンなどの断熱材が充填されている。
【００６４】
第三の仕切り２１８が備えるフランジ２２６は、図３に示すように、平面断面から見て奥の方向に向かって開口するコ字形状となっており、第二の風路２１６を抱え込むものとなされている。また、フランジ２２６を当該形状とすることにより、内箱２０３の側面との間に空間２２８を創出している。
【００６５】
本発明に関連する（隣接する）仕切りとしての第四の仕切り２２２は、冷蔵室２０４と切替室２０５、及び、製氷室２０６とを上下に仕切る仕切りであり、第四の仕切り２２２の奥端部には、下方に垂れ下がったフランジ２２５を有している。さらに、第四の仕切り２２２は、下面板２２３と上面板２２４とを備えている。当該下面板２２３と上面板２２４との間、つまり第四の仕切り２２２の内部は、第三の仕切り２１８と同様、断熱箱体２０１と同時期に硬質発泡ウレタンなどの断熱材が充填される。
【００６６】
第四の仕切り２２２が備えるフランジ２２５は、上記と同様平面断面から見て第二の風路２１６を抱え込むコ字形状となっており、内箱２０３の側面との間に空間２２８を創出している。
【００６７】
フランジ２２５とフランジ２２６とは、第三の仕切り２１８と第四の仕切り２２２とを断熱箱体２０１に取り付けた状態において、全幅に渡り先端縁同士が重なった構成となっており、どちらか一方のフランジ先端部に設けられ爪形状の突起と、他のフランジ先端部に設けられた孔とが係合することにより重なり合ったフランジは互いに結合されている。
【００６８】
図３は、本発明の実施の形態１における第三の仕切りと第四の仕切りと第二の風路部付近の平面断面図、図４は、同実施の形態における第二の風路を第三の仕切りに取り付けた状態を示す斜視図、図５は、同実施の形態における第二の風路近傍を分解して示す斜視図、図６は、同実施の形態における発泡治具による抗力の状態を示す平面断面図である。
【００６９】
図３に示すように、第三の仕切り２１８と第四の仕切り２２２の奥部背面の中間部には、本発明に係るダクトとしての第二の風路２１６が配置されている。第二の風路２１６は、ポリスチレン等の断熱材で成型された風路であり、同図に示すように、内箱２０３の幅（内法）よりも狭い部分を備え、また、第三の仕切り２１８や第四の仕切り２２２の幅よりも狭い。従って、第三の仕切り２１８と第四の仕切り２２２、第二の風路２１６を内箱２０３内部に取り付けた状態において、第二の風路２１６を介することなく内箱２０３を押圧できる面を創出することが可能となる。
【００７０】
また、第二の風路２１６は、図２に示すように、第三の仕切り２１８から隣接する第四の仕切り２２２にわたる長さ（高さ）を備えている。
【００７１】
冷蔵室２０４と切替室２０５、製氷室２０６を冷却するための冷気が送風される第二の風路２１６の内部には冷蔵室２０４と切替室２０５の冷気の流れをそれぞれ調節するツインダンパー２２１が設けられている。このツインダンパー２２１は、第二の通風路２１６内部に取り付けられており、蓋体２５２をかぶせることによって当該ツインダンパー２２１を固定している。従って、当該蓋体２５２を第二の風路２１６の上部から取り外すことにより、ツインダンパー２２１を取り外すことが可能となっている。また、逆の工程を行えば、ツインダンパー２２１を第二の風路２１６の上部からその内部に取り付けることも可能となっている。なお、本発明においてダンパーはツインダンパーに限らず、シングルダンパーなどでも良い。
【００７２】
冷蔵室２０４の背面には冷蔵室２０４の庫内に冷気を送風するための第三の風路２１５ａが取り付けられており、第三の風路２１５ａと第二の風路２１６の接合面は、冷気、水漏れがないようにシール材により貼り付けられている。
【００７３】
次に、本発明に係る冷蔵庫の製造工程を一部説明する。
【００７４】
まず、図４に示すように、事前に第三の仕切り２１８の奥部に第二の風路２１６を取り付けておく。当該取付は、図２に示すように、第三の仕切り２１８の奥端部から奥方向に突出したくさび形状の取り付けリブ２５１を第二の風路２１６に強制嵌入することにより行われる。
【００７５】
このように第三の仕切り２１８に第二の風路２１６を取り付けてユニット化しておくことで、第三の仕切り２１８と第二の風路２１６との合わせ部を目視しながら組み立てることができ、確実に位置あわせができているか確認できることで、シール不良等の冷気洩れを防止することが可能となる。さらに、第３の仕切り２１８と第二の風路２１６との位置決めが一体化により確実にできるので、内箱２０３への取り付け時に、第一の風路２１５等との合わせがスムーズにかつ確実にでき、シール切れを防止することができる。さらに、先に第二の風路２１６を内箱２０３に取り付ける場合、第二の風路２１６を位置決めするための部品や、固定する部品等が必要となってコスト高になるが、先にユニット化すれば、当該部品も不要となり、部品及び組み立て時の工数低減につながる。
【００７６】
次に、図５に分解して示すように、外箱２０２の内側に内箱２０３を配置し、当該内箱２０３に前記ユニット化された第三の仕切り２１８と第二の風路２１６とを仮取り付けする。次に第四の仕切り２２２を内箱２０３内に仮取り付けする。この際、第四の仕切り２２２のフランジ２２５と第三の仕切り２１８のフランジ２２６とを図２に示すように上下方向に係合させておく。
【００７７】
以上により、第二の風路２１６は、断熱箱体２０１の庫内の所定の位置に配置される。なお、第二の風路２１６と上下方向に接続される他の風路２１５、２１５ａなどとはシール材で接合面などが貼り付けられる。また、第三の仕切り２１８の側面には断熱材を導入する導入口が備えられており、第三の仕切り２１８を取り付けた状態での内箱２０３の対応部分には断熱材を導出する導出口が備えられている。そして、第三の仕切り２１８が取り付けられた状態において、前記導入口と導出口の周囲はシール材が貼り付けられ導出口から導入口へ流出する断熱材が漏れ出さないものとなされている。さらに、第三の仕切り２１８の側面には、導入口から第三の仕切り２１８内部に導入された断熱材が第三の仕切り２１８の外部に漏出する漏出口が設けられている。この漏出口は内箱２０３に面して設けられている。また、漏出口の近傍には漏出した断熱材を堰き止める堤が設けられている。当該構造は第四の仕切り２２２にも同様に採用されている。
【００７８】
なお、第三の仕切り２１８の仮取り付けの前後に必要な部品などは内箱２０３等に取り付けられる。
【００７９】
次に、断熱材を注入する際に内箱２０３等を支持する治具をセットする。当該治具は第三の仕切り２１８の両脇に存在する内箱２０３の面２０支持する構造となっている。
【００８０】
次に、断熱材を注入する。注入する断熱材としては硬質の発泡ウレタンが採用されている。断熱材は内箱２０３と外箱２０２との間に充填されると共に、内箱２０３に設けられる導出口から第三の仕切り２１８や第四の仕切り２２２に設けられる導入口を介して仕切りの内部に充填される。さらに断熱材は漏出口から漏れだして仕切り２１８や仕切り２２２と内箱２０３との間に充填される。また、漏れだした断熱材は堤で堰き止められる。
【００８１】
以上のように構成され製造された冷蔵庫について、以下その動作について説明する。
【００８２】
まず、冷凍サイクルの動作について説明する。庫内の設定された温度に応じて制御基板（図示せず）からの信号により冷凍サイクルが動作して冷却運転が行われる。圧縮機２０９の動作により吐出された高温高圧の冷媒は、凝縮器（図示せず）にて放熱して凝縮液化し、キャピラリーチューブ（図示せず）に至る。その後、キャピラリーチューブでは圧縮機２０９への吸入管（図示せず）と熱交換しながら減圧されて低温低圧の液冷媒となって冷却器に至る。冷却ファンの動作により、各貯蔵室内の空気と熱交換されて冷却器内の冷媒は蒸発気化し低温の冷気となる。
【００８３】
低温の冷気は冷却ファンから第一の風路２１５に送られ、冷気の一部は冷凍室２０８に送風される。また残りの冷気は第二の風路２１６に導かれツインダンパー２２１を経由し切替室２０５に送風され、さらに残りの冷気は第三の風路２１５ａを経由し冷蔵室２０４に送風され、所望の冷却を行う。冷却器を出た冷媒は吸入管を経て圧縮機２０９へと吸い込まれる。
【００８４】
貯蔵室間の仕切り構造は、冷凍と冷蔵のような貯蔵室間の温度差が大きい場合、ポリスチレン等の断熱材より断熱性能が優れている例えば硬質発泡ウレタンなどを用いると、所定の貯蔵室温度を確保し易く、貯蔵室内の結露の発生といった品質も向上でき、さらに温度補償用ヒータも不要となり、コスト低減と消費電力量低減を図ることができる。
【００８５】
断熱材注入の際（ウレタン発泡時）には、外箱２０２や内箱２０３や第三の仕切２１８や第四の仕切２２２から第二の風路２１６に対して発泡圧力がかかる。第二の風路２１６の第三の仕切２１８や第四の仕切２２２と当接していない部分については背面の内箱２０３からのみ発泡圧力がかかるため、第二の風路２１６が第三の仕切２１８と第四の仕切２２２と当接する部分を支点とし、弧を描いて膨出するおそれがある。しかし、第三の仕切２１８と第四の仕切２２２から立ち上がりまた垂れ下がるフランジ２２５とフランジ２２６が第二の風路２１６の前面と側面とを支え、さらには、フランジ同士が重なり合い爪２３３で固定されているため、第二の風路２１６が背面から受ける発泡圧力をフランジ２２５、２２６が十分受け止めることができ、第二の風路２１６を発泡圧力による変形から守ることができる。
【００８６】
また、ウレタン発泡時には圧力を受け止める樹脂等で構成されたウレタン治具が各室内に配置される。もちろん空間２２８内にもウレタン治具が配置される。これにより、第二の風路２１６の側面、前面がウレタン治具で押さえられることになり、発泡圧力による変形を防止することができる。特に、図６に矢印で示すように、第二の風路の両脇に存在する内箱２０３の部分が当該治具により支持されるため、当該治具が内箱２０３からの発泡圧力の一部を支えることができ、第二の風路２１６が発泡圧力により受ける負担が軽減される。
【００８７】
また、貯蔵室間の仕切り構造として第三の仕切り２１８と第四の仕切り２２２が硬質発泡ウレタンで充填されたものであり取り外しができず断熱箱体２０１と強固に接合しているため、貯蔵室間での冷気漏れがなくなり、品質の安定化につながる。さらに、断熱箱体２０１内が第三の仕切り２１８と第四の仕切り２２２により二枚のウレタンで充填された仕切り構造となるために、冷蔵庫本体の箱体強度を強くすることができ、冷蔵庫扉に収納された食品の荷重による冷蔵庫本体の歪みを抑制できる。
【００８８】
また、硬質発泡ウレタンで発泡された取り外しができない第三の仕切り２１８と第四の仕切り２２２で挟まれた切替室２０５と製氷室２０６は貯蔵室の高さが低いため、断熱箱体２０１をウレタン発泡した後第二の風路２１６を切替室２０５と製氷室２０６の奥部に取り付けるとなると作業性が非常に悪く、第二の風路２１６をウレタン発泡前に取り付けたことにより作業性を良くすることができる。
【００８９】
（実施の形態２）
図７は、本発明の実施の形態２における第二の風路部付近を模式的に示す分解斜視図である。なお、実施の形態１と同一構成については同一符号を付して説明を省略する。
【００９０】
同図において、本発明に係るダクトとしての第二の風路２１６は、ポリスチレン等の断熱材で構成されており、内部に手前の壁面から奥部の壁面の奥行き方向に渡される梁２２７が設けられている。当該梁２２７は、第二の風路２１６内部に流れる冷気の流れをできるだけ阻害しないように配置されている。具体的には、第二の風路２１６内の上下方向伸びた状態で設けられている。
【００９１】
当該梁２２７により、第二の風路２１６は、奥行き方向に対し構造的な強度が向上する。また、梁２２７が奥行き方向にのみ渡されているのは、第二の風路２１６の左右方向には空間２２８が存在し、左右方向に加わる発泡圧力が小さくて済むからである。さらに梁２２７を複数設けることで風路を細分化できる。
【００９２】
第二の風路２１６の背面に位置する内箱２０３には室内側に向かって突出する凸形状の膨出部２３２が設けられている。この膨出部２３２は、内箱２０３の壁を矩形状に波打たせた形状となされ、上下方向に伸びて設けられている。
【００９３】
また、第二の風路２１６の梁２２７と内箱２０３の膨出部２３２とは、お互いが重なり合う位置に構成されている。つまり、梁２２７が渡されている方向の延長上に膨出部２３２が存在している。また、第二の風路２１６の手前から奥に伸びる壁に対応する部分にも膨出部２３２が設けられている。
【００９４】
さらに、第二の風路２１６の背面には金属または樹脂成型品で構成された補強部材２２９が取り付けられている。補強部材２２９は内箱２０３の庫内側、もしくは、断熱箱体２０１内部の少なくともどちらかに取り付けられている。補強部材２２９の幅方向の大きさは第二の風路２１６の背面が確保される程度の大きさであり、さらに、空間２２８に掛かる位置まで設けられる大きさであることが望ましい。このように補強部材２２９の幅が第二の風路２１６よりも広いと、図６に示すように、断熱材を充填する際に発泡治具で補強部材２２９をも支えることができ（図６中矢印）、第二の風路２１６のかかる発泡圧力をより軽減させることが可能となる。
【００９５】
また、第二の風路２１６は、前後方向に分割される前ダクト部材としての前風路２３０と後ダクト部材としての後風路２３１とで構成されている。
【００９６】
以上のように構成された第二の風路２１６を備える冷蔵庫について、以下に説明する効果を有している。
【００９７】
第二の風路２１６に設けられた梁２２７により、発泡圧力に抗することのできる構造的強度を向上させることができる。また、内箱２０３に設けられた凸形状の膨出部２３２は、第二の風路２１６に設けられた梁２２７の部分に発泡圧力を集中させることで、第二の風路２１６の変形や破壊を防止することができる。また、内箱２０３の剛性を上げることができる。従って、断熱材充填時に発生する発泡圧力を、補強部材２２９が存在する場合は、補強部材２２９が受け止めその力を分散させ、さらに膨出部２３２により発泡圧力を分散させることができ、これにより第二の風路２１６が変形、つぶれを抑えることができる。また、第二の風路２１６に断熱材の充填による変形やつぶれの発生が無いため、設計どおりの風路を確保することができ切替室や冷蔵室を効率よく冷却できる。
【００９８】
さらに、梁２２７と凸形状の膨出部２３２とが重なり合うことで内箱２０３の膨出部２３２にかかる断熱材の発泡圧力が第二の風路２１６内の梁２２７によって受け止めることができる。また、内箱２０３の膨出部２３２以外の凹部分は第二の風路２１６と距離が確保されるため、発泡圧力により内箱２０３が変形が発生しても第二の風路２１６に変形等の影響を及ぼすことが少ない。また、梁２２７は複数設けることにより風路を細分化することができ、細分化された風路に温度差のついた冷気をそれぞれ挿通することで、効率よく冷気を配分することができる。
【００９９】
また、第二の風路２１６の背面であって内箱２０３の外側に取り付けられた補強部材２２９により、断熱材の発泡圧力が補強部材２２９に分散されて内箱２０３に係る圧力を低減することができ、引いては第二の風路２１６の変形を抑えることが可能となる。また、内箱２０３の内側に取り付けられた補強部材２２９により、第二の風路２１６に掛かる断熱材の発泡圧力による内箱２０３の変形を受け止めることができ、同様に第二の風路２１６の変形を低減することができる。
【０１００】
さらに、補強部材２２９が空間２２８に至るまで設けられ場合、治具で補強部材２２９の両端（少なくとも一端）を支持することができるため、補強部材２２９の発泡圧力に抗する力が向上するため第二の風路２１６にかかる発泡圧力をさらに低減できる。
【０１０１】
また、第二の風路２１６を前後に分割された構造とすることで、梁２２７は複雑な風路構成や梁構成を採用しても容易に製作することが可能になる。従って、各貯蔵室内に供給する冷気の温度に変化を付けたり、各貯蔵室にきめ細かに冷気を放出することができ、貯蔵室内の温度分布を均一にできる。また、第二の風路２１６内に設置されるツインデンドウダンパ２２１等の第二の風路２１６の内側に収納する物品を容易に第二の風路２１６内に組み付けることができる。このように、第二の風路２１６の組み立てが容易であるということは、逆に分解も容易となりサービス性も向上する。さらに、発泡樹脂で構成することで断熱性が向上し低温の冷気を貯蔵室に送ることができる。また、第二の風路２１６が分割された構造であっても、発泡圧力により第二の風路２１６の形状が固定されるため、特殊な係合構造を備えなくても第二の風路２１６の形状を維持することが可能となり、また、合わせ目からの冷気の漏れ出しも防ぐことができる。
【０１０２】
また、第三の仕切り２１８と第四の仕切り２２２とは断熱箱体２０１と一体に断熱材が充填されているため、製品完成後に第三の仕切り２１８や第四の仕切り２２２を断熱箱体２０１から取り外すのは困難となる。一方、第三の風路２１５ａは第二の風路２１６の上にシール材やビスなどで断熱箱体２０１に取り付けられているため、ある程度、取り外し取付は可能である。従って、第三の風路２１５ａを取り外した後、冷蔵室２０４から第２の風路２１６の上部に到達することができ、故障するであろうと思われるツインダンパー２２１を取り出してメンテナンスすることが可能となる。この場合、比較的大きな冷蔵室２０４を利用するため、作業員が容易に作業をすることができ、非常にメンテナンス性が高くなる。
【産業上の利用可能性】
【０１０３】
本発明は冷蔵庫、特に断熱箱体と、庫内を仕切る仕切りとに一体に断熱材を充填して形成される冷蔵庫に適用できる。
【図面の簡単な説明】
【０１０４】
【図１】本発明の実施の形態１における冷蔵庫の縦断面図
【図２】同実施の形態における仕切りの構成を示す縦断面図
【図３】同実施の形態における第二の風路構成を示す平面断面図
【図４】同実施の形態における第二の風路を第三の仕切りに取り付けた状態を示す斜視図
【図５】同実施の形態における第二の風路近傍を分解して示す斜視図
【図６】同実施の形態における発泡治具による抗力の状態を示す平面断面図
【図７】本発明の実施の形態２における第二の風路部近傍を分解して示す斜視図
【図８】従来の冷蔵庫の縦断面図
【符号の説明】
【０１０５】
２０１  断熱箱体
２０３  内箱
２０４  冷蔵室（第一の貯蔵室）
２０５  切替室（第四の貯蔵室）
２０７  野菜室（第二の貯蔵室）
２０８  冷凍室（第三の貯蔵室）
２１０  冷却室
２１１  第一の仕切り
２１５  第一の風路
２１６  第二の風路
２１７  第二の仕切り
２１８  第三の仕切り
２２２  第四の仕切り
２２５  フランジ
２２６  フランジ
２２７  梁
２２８  空間
２２９  補強部材
２３０  前風路（ダクト部材）
２３１  後風路（ダクト部材）
２３２  膨出部
【図１】
2008075890.tif 000003
【図２】
2008075890.tif 000004
【図３】
2008075890.tif 000005
【図４】
2008075890.tif 000006
【図５】
2008075890.tif 000007
【図６】
2008075890.tif 000008
【図７】
2008075890.tif 000009
【図８】
2008075890.tif 000010